(57)【要約】【課題】ディスポーザブル型の容器の廃棄処理におけるユーザーの負担を軽減できる容器の廃棄方法および自動分析装置を提供すること。【解決手段】試薬液と検体とを混合した検液の特性を測定する自動分析装置において用いるディスポーザブル型の容器の廃棄方法であって、ディスポーザブル型の反応容器またはディスポーザブル型の試薬容器に収容した検液または試薬液を除去した後、前記検液または前記試薬液を除去した前記反応容器または前記試薬容器を廃棄する。【選択図】        図１
2007316010.tif 000002
【特許請求の範囲】
【請求項１】
試薬液と検体とを混合した検液の特性を測定する自動分析装置において用いるディスポーザブル型の容器の廃棄方法であって、
ディスポーザブル型の反応容器またはディスポーザブル型の試薬容器に収容した検液または試薬液を除去した後、前記検液または前記試薬液が除去された前記反応容器または前記試薬容器を廃棄することを特徴とする容器の廃棄方法。
【請求項２】
前記反応容器または前記試薬容器を該反応容器または試薬容器の使用位置から廃棄位置へ移送する間に前記検液または前記試薬液を除去することを特徴とする請求項１に記載の容器の廃棄方法。
【請求項３】
前記反応容器または前記試薬容器を該反応容器または試薬容器の使用位置から除去位置へ移送し、前記除去位置において前記検液または前記試薬液を除去することを特徴とする請求項１に記載の容器の廃棄方法。
【請求項４】
前記反応容器または前記試薬容器を該反応容器または試薬容器の使用位置に置いた状態で前記検液または前記試薬液を除去することを特徴とする請求項１に記載の容器の廃棄方法。
【請求項５】
前記測定は免疫的分析、生化学的分析、遺伝学的分析のいずれかのための測定であることを特徴とする請求項１〜４のいずれか一つに記載の容器の廃棄方法。
【請求項６】
ディスポーザブル型の容器を用いる自動分析装置であって、
試薬液を収容するディスポーザブル型の試薬容器を収容する試薬容器収容部と、
前記試薬容器から分注した前記試薬液と検体とを混合した検液を収容するディスポーザブル型の反応容器を保持して該検液の特性を測定する測定部と、
前記反応容器または前記試薬容器から前記検液または前記試薬液を除去する除去手段と、
前記検液または前記試薬液が除去された前記反応容器または前記試薬容器を廃棄箱へ移送する移送機構と、
を備えることを特徴とする自動分析装置。
【請求項７】
前記除去手段は前記反応容器または前記試薬容器を移送する間にノズルにより前記検液または前記試薬液を吸引して除去することを特徴とする請求項６に記載の自動分析装置。
【請求項８】
前記移送機構の移送経路に前記反応容器または前記試薬容器を保持する保持部を備え、
前記移送機構は前記保持部に前記反応容器または前記試薬容器を移送し、前記除去手段は前記保持部が保持する前記反応容器または前記試薬容器からノズルにより前記検液または前記試薬液を吸引して除去し、その後に前記移送機構が前記廃棄箱へ前記反応容器または前記試薬容器を移送することを特徴とする請求項６に記載の自動分析装置。
【請求項９】
前記除去手段は、前記測定部または前記試薬容器収容部に置かれた前記反応容器または前記試薬容器からノズルにより前記検液または前記試薬液を吸引して除去することを特徴とする請求項６に記載の自動分析装置。
【請求項１０】
前記試薬容器収容部は複数設けられており、前記除去手段及び／または前記移送機構は、前記複数の試薬容器収容部に収容された試薬容器中の試薬液の特性に応じて、除去した試薬液を分別して廃液タンクに廃棄し、及び／または移送した試薬容器を分別して廃棄箱に廃棄することを特徴とする請求項６に記載の自動分析装置。
【請求項１１】
前記測定部は免疫的分析、生化学的分析、遺伝学的分析のいずれかのための測定を行うことを特徴とする請求項６〜１０のいずれか一つに記載の自動分析装置。
【発明の詳細な説明】
【技術分野】
【０００１】
本発明は、自動分析装置において用いられるディスポーザブル型の容器の廃棄方法および自動分析装置に関するものである。
【背景技術】
【０００２】
血液や体液などの検体の特性を測定して免疫分析を行う自動分析装置において、検体と検体に反応させる試薬液とを混合した検液を収容する反応容器として、繰り返し使用されるガラス製容器などを用いる場合と、ディスポーザブル型の樹脂製容器などを用いる場合がある。特に、高感度免疫分析に用いる反応容器は、繰り返し使用すると反応容器が汚染されて測定結果へ悪影響を及ぼすおそれがあるので、ディスポーザブル型の反応容器を用いることが一般的である（特許文献１参照）。一方、検体に反応させる試薬液は、試薬液を収容する試薬容器から分注ノズルなどを用いて分注されるが、この試薬液容器についても、ディスポーザブル型の容器が用いられている。
【０００３】
【特許文献１】特開２００３−８３９９２号公報
【発明の開示】
【発明が解決しようとする課題】
【０００４】
従来の自動分析装置においては、ディスポーザブル型の反応容器は検体の測定終了後に所定の廃棄箱に自動的に廃棄される。一方、ディスポーザブル型の試薬容器は収容する試薬液が所定の残量となった場合に所定の廃棄箱に自動的に廃棄される。そして廃棄箱内の廃棄物の廃棄処理は自動分析装置のユーザーが行う。
【０００５】
ところが、従来の自動分析装置は反応容器内に検液が残留したまま、あるいは試薬容器内に所定量の試薬液が残留したまま、廃棄箱に反応容器あるいは試薬容器を廃棄していたので、所定の廃棄箱内が血液などの感染性廃棄物や酸・アルカリなどの試薬液で汚染されていた。その結果、自動分析装置のユーザーが廃棄箱内の廃棄物の廃棄処理を行う際には、検液に対するバイオハザードや試薬液の取り扱いに注意する必要があり、ユーザーに過大な負担を与えるという問題がある。
【０００６】
本発明は、上記に鑑みてなされたものであって、ディスポーザブル型の容器の廃棄処理におけるユーザーの負担を軽減できる容器の廃棄方法および自動分析装置を提供することを目的とする。
【課題を解決するための手段】
【０００７】
上述した課題を解決し、目的を達成するために、本発明に係る容器の廃棄方法は、試薬液と検体とを混合した検液の特性を測定する自動分析装置において用いるディスポーザブル型の容器の廃棄方法であって、ディスポーザブル型の反応容器またはディスポーザブル型の試薬容器に収容した検液または試薬液を除去した後、前記検液または前記試薬液が除去された前記反応容器または前記試薬容器を廃棄することを特徴とする。
【０００８】
また、本発明に係る容器の廃棄方法は、上記の発明において、前記反応容器または前記試薬容器を該反応容器または試薬容器の使用位置から廃棄位置へ移送する間に前記検液または前記試薬液を除去することを特徴とする。
【０００９】
また、本発明に係る容器の廃棄方法は、上記の発明において、前記反応容器または前記試薬容器を該反応容器または試薬容器の使用位置から除去位置へ移送し、前記除去位置において前記検液または前記試薬液を除去することを特徴とする。
【００１０】
また、本発明に係る容器の廃棄方法は、上記の発明において、前記反応容器または前記試薬容器を該反応容器または試薬容器の使用位置に置いた状態で前記検液または前記試薬液を除去することを特徴とする。
【００１１】
また、本発明に係る容器の廃棄方法は、上記の発明において、前記測定は免疫的分析、生化学的分析、遺伝学的分析のいずれかのための測定であることを特徴とする。
【００１２】
また、本発明に係る自動分析装置は、ディスポーザブル型の容器を用いる自動分析装置であって、試薬液を収容するディスポーザブル型の試薬容器を収容する試薬容器収容部と、前記試薬容器から分注した前記試薬液と検体とを混合した検液を収容するディスポーザブル型の反応容器を保持して該検液の特性を測定する測定部と、前記反応容器または試薬容器から前記検液または試薬液を除去する除去手段と、前記検液または前記試薬液が除去された前記反応容器または前記試薬容器を廃棄箱へ移送する移送機構と、を備えることを特徴とする。
【００１３】
また、本発明に係る自動分析装置は、上記の発明において、前記除去手段は前記反応容器または前記試薬容器を移送する間にノズルにより前記検液または前記試薬液を吸引して除去することを特徴とする。
【００１４】
また、本発明に係る自動分析装置は、上記の発明において、前記移送機構の移送経路に前記反応容器または前記試薬容器を保持する保持部を備え、前記移送機構は前記保持部に前記反応容器または前記試薬容器を移送し、前記除去手段は前記保持部が保持する前記反応容器または前記試薬容器からノズルにより前記検液または前記試薬液を吸引して除去し、その後に前記移送機構が前記廃棄箱へ前記反応容器または前記試薬容器を移送することを特徴とする。
【００１５】
また、本発明に係る自動分析装置は、上記の発明において、前記除去手段は、前記測定部または前記試薬容器収容部に置かれた前記反応容器または前記試薬容器からノズルにより前記検液または前記試薬液を吸引して除去することを特徴とする。
【００１６】
また、本発明に係る自動分析装置は、上記の発明において、前記試薬容器収容部は複数設けられており、前記除去手段及び／または前記移送機構は、前記複数の試薬容器収容部に収容された試薬容器中の試薬液の特性に応じて、除去した試薬液を分別して廃液タンクに廃棄し、及び／または移送した試薬容器を分別して廃棄箱に廃棄することを特徴とする。
【００１７】
また、本発明に係る自動分析装置は、上記の発明において、前記測定部は免疫的分析、生化学的分析、遺伝学的分析のいずれかのための測定を行うことを特徴とする。
【発明の効果】
【００１８】
本発明によれば、ディスポーザブル型の反応容器または試薬容器に収容された検液または試薬液を除去してから反応容器または試薬容器を廃棄するので、ディスポーザブル型の容器を廃棄する廃棄箱内の汚染が極めて少なくなる。その結果、廃棄箱内の廃棄物の廃棄処理を行う際のユーザーの負担をきわめて軽減できるという効果を奏する。
【発明を実施するための最良の形態】
【００１９】
以下に、図面を参照して本発明に係る容器の廃棄方法および自動分析装置の実施の形態を詳細に説明する。なお、この実施の形態によりこの発明が限定されるものではない。
【００２０】
（実施の形態１）
図１は、本発明の実施の形態１に係る自動分析装置の上面側から見た構成を模式的に表した平面概略図である。この自動分析装置１は化学発光方式を用いて免疫分析を行うものである。以下、２ステップサンドイッチ法を用いて免疫分析を行う場合を例として、自動分析装置１の動作を説明する。なお、以下の動作は自動分析装置１に備えられた制御部により自動制御される。
【００２１】
まず、ディスポーザブル型の反応容器を収容した反応容器供給部２から移送アーム１５により、反応容器セット位置３に反応容器を供給する。つぎに、反応容器を移送する移送アーム４が、反応容器セット位置３から回転するＢ／Ｆ（Ｂｏｕｎｄ／Ｆｒｅｅ）テーブル５の外周保持孔５ａへ反応容器を移送する。外周保持孔５ａは移送された反応容器を保持する。つぎに、分注ノズル６ａが、試薬容器収容部７ａに収容された試薬容器から反応容器へ第１試薬液を分注する。第１試薬液は、磁性粒子を固相担体として含むものであり、主に免疫反応の緩衝液として作用するものである。
【００２２】
つぎに、ノズル部の先端にサンプルチップ供給部１０から供給されたディスポーザブル型のサンプルチップを装着した分注ノズル１１が、ラックレーン８を経由して供給される検体を収容した検体ラック９から外周保持孔５ａに保持された反応容器へ検体を分注する。その結果、反応容器内で検体と第１試薬液とが混合して検液が生成される。つぎに、Ｂ／Ｆテーブル５の近傍に設けられた攪拌機構５ｃが反応容器に収容された検液を攪拌し、その後、移送アーム４が、回転する免疫反応テーブル１２の中周保持孔１２ｂへ検液を収容した反応容器を移送する。中周保持孔１２ｂは反応容器を所定の反応時間だけ保持する。
【００２３】
その後、移送アーム４が、Ｂ／Ｆテーブル５の内周保持孔５ｂに反応容器を移送する。内周保持孔５ｂは反応容器を保持する。そして、Ｂ／Ｆテーブル５の近傍に設けられた集磁機構５ｄが反応容器内において未反応の磁性粒子の集磁を行い、洗浄ノズル５ｅが反応容器内を洗浄することにより、検液のＢ／Ｆ分離が実施される。
【００２４】
つぎに、分注ノズル６ｂが、試薬容器収容部７ｂに収容された試薬容器から内周保持孔５ｂに保持された反応容器へ第２試薬を分注する。第２試薬はペルオキシダ−ゼ（ＰＯＤ）などの標識試薬である。その後、攪拌機構５ｃが第２試薬液を混合した検液を攪拌し、移送アーム４が免疫反応テーブル１２の内周保持孔１２ｃへ反応容器を移送する。内周孔１２ｃが反応容器を所定の反応時間だけ保持した後、移送アーム４がＢ／Ｆテーブル５の内周孔５ｂへ反応容器を移送する。その後、上記と同様に検液のＢ／Ｆ分離が実施される。
【００２５】
つぎに、基質液供給部１３が、その内部に収容された分注ノズルにより検液のＢ／Ｆ分離が実施された反応容器にルミノールなどの基質液と過酸化水素水などを分注する。その後、攪拌機構５ｃが検液を攪拌し、移送アーム４が待機テーブル１４の保持孔１４ａへ反応容器を移送する。保持孔１４ａは、基質液と混合した検液を収容する反応容器を所定の反応時間だけ保持し、酵素反応などにより検液を発光させる。その後、移送アーム１５が測定部１６の測定保持部１６ａへ反応容器を移送する。測定部１６は測定保持部１６ａに保持された反応容器中の検液の発光量を測定する。
【００２６】
つぎに、移送アーム１５が、発光量を測定して使用を終了した反応容器を廃棄のために移送する。本実施の形態１に係る自動分析装置１においては、移送アーム１５には検液の除去手段としてノズルが組み込まれており、移送アーム１５は装置下部に位置する廃棄箱１７へ使用を終了した反応容器を移送する間にノズルにより検液を吸引して除去し、装置上面に形成された廃棄位置である廃棄孔１７ａから廃棄箱１７へ検液が除去された反応容器を廃棄する。反応容器から除去した検液は装置下部に位置する廃液タンク２０の検液廃棄区域に廃棄される。
【００２７】
廃棄箱１７内の反応容器が所定の数に達したら、ユーザーは廃棄箱１７内の反応容器を廃棄するが、廃棄箱１７内は検液による汚染が極めて少ないので、廃棄処理の際のユーザーの負担は軽減される。
【００２８】
一方、試薬容器収容部７ａ、７ｂに収容された試薬容器は、試薬液の残量が所定量以下になった場合に廃棄される。使用を終了した試薬容器を廃棄する際は、移送アーム１５と同様にノズルが組み込まれた移送アーム１８が廃棄箱１９に試薬容器を移送する間にノズルにより試薬液を吸引して除去し、装置上面に形成された廃棄位置である廃棄孔１９ａ、１９ｂから装置下部に位置する廃棄箱１９へ試薬液が除去された試薬容器を廃棄する。廃棄に際して、試薬容器収容部７ａ、試薬容器収容部７ｂに各々収容される試薬液が、例えば一方は酸性、他方はアルカリ性といったように試薬液の特性によって区分けされている場合には、これを自動分析装置１に認識させておき、各々廃棄孔１９ａ、１９ｂから廃棄箱１９へ廃棄するようにする。廃棄箱１９は内部が２つの区域に区分けされており、廃棄孔１９ａ、１９ｂの各々から別々に廃棄された、試薬容器収容部７ａに収容された試薬容器と試薬容器収容部７ｂに収容された試薬容器とは、廃棄箱１９内で各々別々の区域に分別して収容される。一方、試薬容器収容部７ａに収容された試薬容器と試薬容器収容部７ｂに収容された試薬容器とから除去した各試薬液は廃液タンク２０内において試薬液ごとに区分けされた試薬液廃棄区域に分別して収容される。なお、試薬容器収容部７ａ、試薬容器収容部７ｂに各々収容される試薬液で上記のごとき区分けがされていない場合には、廃棄箱１９、廃液タンク２０内で区分けする必要はない。
【００２９】
廃棄箱１９内の試薬容器が所定の数に達したら、ユーザーは廃棄箱１９内の試薬容器を廃棄するが、廃棄箱１９内は試薬液による汚染が極めて少ないので、廃棄処理の際のユーザーの負担は軽減される。
【００３０】
つぎに、本実施の形態１におけるノズルが組み込まれた移送アームの構成について具体的に説明する。図２は、図１に示すノズルが組み込まれた移送アーム１５の構成を模式的に表した概略図である。なお、ノズルが組み込まれた移送アーム１８も同様の構成を有する。
【００３１】
図２に示すように、移送アーム１５は、アーム部１５ａと、アーム部１５ａの一端に設けられアーム部１５ａを軸の周りに回転および上昇または降下させる軸部１５ｂと、アーム部１５ｂの軸部１５ｂとは別の一端に設けられ開閉動作により反応容器を把持する把持機構１５ｃ、１５ｄと、把持機構１５ｃ、１５ｄの間に設けられ検液を吸引するノズル部１５ｅと、アーム部１５ａおよび軸部１５ｂに内蔵されノズル部１５ｅと廃液タンク２０とを接続する廃液管１５ｆとを備える。
【００３２】
図３は、図２に示すノズルが組み込まれた移送アーム１５の動作を説明する説明図である。測定部１６における検液２２の発光量の測定終了後、移送アーム１５はアーム部１５ａが軸部１５ｂの周りを測定保持部１６ａに保持された反応容器２１の上方の位置まで回転した後に降下し、ついで把持機構１５ｃ、１５ｄを閉じることによって反応容器２１を把持し、その後上昇して反応容器２１を上方に引き上げる。ノズル部１５ｅは、把持部材１５ｃ、１５ｄによって反応容器２１を把持した時に反応容器２１に挿入されるように設けられている。つぎに、移送アーム１５はアーム部１５ａが軸部１５ｂの周りを回転することにより廃棄箱１７の廃棄孔１７ａの上方へ反応容器２１を移送する。検液２２はノズル部１５ｅにより反応容器２１の移送の間に吸引して除去される。反応容器２１から除去された検液２２は廃液管１５ｆにより廃液タンク２０に送られる。移送アーム１５は廃棄孔１７ａの上方で把持機構１５ｃ、１５ｄを開くことによって検液が除去された反応容器２１を開放し、廃棄孔１７ａから廃棄箱１７へ反応容器２１を廃棄する。
【００３３】
なお、移送アーム１８も、上述の移送アーム１５と同様の動作により、試薬容器を移送する間にノズルにより試薬液を吸引して除去し、廃棄孔１９ａ、１９ｂから廃棄箱１９へ試薬液が除去された試薬容器を廃棄する。
【００３４】
以上説明したように、自動分析装置１は検液２２を除去してから反応容器２１を廃棄箱１７に廃棄するので、廃棄箱１７内の検液による汚染が極めて少なくなる。その結果、廃棄箱内の反応容器の廃棄処理におけるユーザーの負担がきわめて軽減される。また、廃棄箱１７へ反応容器２１を移送中に検液２２を除去するので、反応容器の移送と検液の除去を同時に行われるため、工程時間が短縮される。
【００３５】
同様に、自動分析装置１は試薬液を除去してから試薬容器を廃棄箱１９に廃棄するので、廃棄箱１９内の試薬液による汚染が極めて少なくなる。その結果、廃棄箱内の試薬容器の廃棄処理におけるユーザーの負担がきわめて軽減される。また、廃棄箱１９へ試薬容器を移送中に試薬液を除去するので、工程時間が短縮される。
【００３６】
（実施の形態２）
つぎに、本発明の実施の形態２に係る自動分析装置について説明する。本実施の形態２に係る自動分析装置は、実施の形態１に係る自動分析装置とほぼ同様の構成を有し、同様の動作を行うが、検液を除去するための除去位置に反応容器を置いた状態で検液の吸引除去を行う点などが異なる。
【００３７】
図４は、本実施の形態２に係る自動分析装置の構成の一部を模式的に表した平面概略図である。自動分析装置２３は、自動分析装置１と同様の構成を有するが、ノズルが組み込まれた移送アーム１５の代わりに、アーム部の一端に把持機構を有する移送アーム２４と、移送アーム２４の移送経路に設けられた検液の除去位置である吸引保持部２５と、アーム部の一端にノズル部を有する吸引ノズル２６とを備える。
【００３８】
自動分析装置２３の動作について説明する。自動分析装置２３は、待機テーブルの保持孔が基質液を分注した反応容器を所定の反応時間だけ保持するところまでは自動分析装置１と同様の動作をする。その後、移送アーム２４が測定部１６の測定保持部１６ａへ反応容器を移送する。測定部１６は測定保持部１６ａに保持された反応容器中の検液の発光量を測定する。
【００３９】
図５は、本実施の形態２に係る自動分析装置２３における移送アーム２４および吸引ノズル２６の動作を説明する説明図である。本実施の形態に係る自動分析装置２３においては、測定部１６における検液２２の発光量の測定終了後に、移送アーム２４がアーム部２４ａの一端に備えられた把持機構２４ｃ、２４ｄにより測定保持部１６ａに保持された反応容器２１を把持する。つぎに、移送アーム２４はアーム部２４ａが軸部の周りを回転することにより吸引保持部２５に反応容器２１を移送し、吸引保持部２５において反応容器２１を開放する。吸引保持部２５は反応容器２１を保持する。
【００４０】
つぎに、吸引ノズル２６はアーム部２６ａの一端に備えられたノズル部２６ｅを反応容器２１に挿入して検液２２を吸引して除去する。反応容器２１から除去された検液２２は廃液管２６ｆにより廃液タンク２０に送られる。つぎに移送アーム２４は吸引保持部２５から廃棄孔１７ａへ検液が除去された反応容器２１を移送し、廃棄孔１７ａから廃棄箱１７へ反応容器２１を廃棄する。
【００４１】
自動分析装置２３においては、自動分析装置１と同様に廃棄箱内の反応容器の廃棄処理におけるユーザーの負担がきわめて軽減される。また、測定保持部１６ａから吸引保持部２５へ反応容器２１を移送してから検液を吸引除去するので、つぎに測定する検液を収容した反応容器を迅速に測定保持部にセットすることができるため、工程時間が短縮される。
【００４２】
（実施の形態３）
つぎに、本発明の実施の形態３に係る自動分析装置について説明する。本実施の形態３に係る自動分析装置は、実施の形態２に係る自動分析装置とほぼ同様の構成を有し、同様の動作を行うが、反応容器の使用位置である測定保持部に反応容器を置いた状態で検体の吸引除去を行う点などが異なる。
【００４３】
図６は、本実施の形態３に係る自動分析装置の構成の一部を模式的に表した平面概略図である。自動分析装置２７は、自動分析装置２３と同様の構成を有するが、吸引ノズル２６はアーム部の一端に備えられたノズル部が測定部１６上を通過するようにアーム部が回転する。
【００４４】
つぎに自動分析装置２７の動作について説明する。自動分析装置２７は、測定部１６が測定保持部１６ａに保持された反応容器中の検液の発光量を測定するところまでは自動分析装置２３と同様の動作をする。
【００４５】
図７は、本実施の形態３に係る自動分析装置２３における移送アーム２４および吸引ノズル２６の動作を説明する説明図である。本実施の形態に係る自動分析装置２３においては、測定部１６における検液２２の発光量の測定終了後に、使用位置である測定保持部１６ａが反応容器２１を保持した状態で、吸引ノズル２６がアーム部２６ａの一端に備えられたノズル部２６ｅを反応容器２１に挿入して検液２２を吸引して除去する。反応容器２１から除去された検液２２は廃液管２６ｆにより廃液タンク２０に送られる。つぎに移送アーム２４がアーム部２４ａの一端に備えられた把持機構２４ｃ、２４ｄにより測定保持部１６ａに保持された反応容器２１を把持し、廃棄箱１７の廃棄孔１７ａへ反応容器２１を移送し、廃棄孔１７ａから廃棄箱１７へ反応容器２１を廃棄する。
【００４６】
自動分析装置２７においては、自動分析装置１、２３と同様に廃棄箱内の廃棄処理におけるユーザーの負担がきわめて軽減される。また、測定保持部１６ａが反応容器２１を保持した状態で検液を吸引除去するので、測定終了後に迅速に検液の吸引除去を行うことができるとともに工程が簡略化される。
【００４７】
なお、実施の形態１〜３において、検体を希釈してから分析を行う場合には、免疫反応テーブルの外周保持孔に希釈用反応容器をセットし、試薬容器収容部から希釈用反応容器に希釈液を分注し、検体ラックから希釈用反応容器へ検体を分注して希釈液と混合して希釈し、希釈用反応容器から第１試薬が分注された反応容器へ希釈された検体を分注してもよい。また、実施の形態１〜３に係る自動分析装置は免疫的分析を行うように構成したものであるが、生化学的分析や遺伝学的分析を行うように構成したものであってもよい。
【図面の簡単な説明】
【００４８】
【図１】本発明の実施の形態１に係る自動分析装置の上面側から見た構成を模式的に表した平面概略図である。
【図２】図１に示すノズルが組み込まれた移送アームの構成を模式的に表した概略図である。
【図３】図２に示すノズルが組み込まれた移送アームの動作を説明する説明図である。
【図４】本発明の実施の形態２に係る自動分析装置の構成の一部を模式的に表した平面概略図である。
【図５】実施の形態２に係る自動分析装置における移送アームおよび吸引ノズルの動作を説明する説明図である。
【図６】本発明の実施の形態３に係る自動分析装置の構成の一部を模式的に表した平面概略図である。
【図７】実施の形態３に係る自動分析装置における移送アームおよび吸引ノズルの動作を説明する説明図である。
【符号の説明】
【００４９】
１、２３、２７  自動分析装置
２  反応容器供給部
３  反応容器セット位置
４、２４  移送アーム
５  Ｂ／Ｆテーブル
５ａ  外周保持孔
５ｂ  内周保持孔
５ｃ  攪拌機構
５ｄ  集磁機構
５ｅ  洗浄ノズル
６ａ、６ｂ、１１  分注ノズル
７ａ、７ｂ  試薬容器収容部
８  ラックレーン
９  検体ラック
１０  サンプルチップ供給部
１２  免疫反応テーブル
１２ａ  外周保持孔
１２ｂ  中周保持孔
１２ｃ  内周保持孔
１３  基質液供給部
１４  待機テーブル
１４ａ  保持孔
１５、１８  ノズルが組み込まれた移送アーム
１５ａ、２４ａ、２６ａ  アーム部
１５ｂ  軸部
１５ｃ、１５ｄ、２４ｃ、２４ｄ  把持機構
１５ｅ、２６ｅ  ノズル部
１５ｆ、２６ｆ  廃液管
１６  測定部
１６ａ  測定保持部
１７、１９  廃棄箱
１７ａ、１９ａ、１９ｂ  廃棄孔
２０  廃液タンク
２１  反応容器
２２  検液
２５  吸引保持部
２６  吸引ノズル
【図１】
2007316010.tif 000003
【図２】
2007316010.tif 000004
【図３】
2007316010.tif 000005
【図４】
2007316010.tif 000006
【図５】
2007316010.tif 000007
【図６】
2007316010.tif 000008
【図７】
2007316010.tif 000009